(57)【要約】電気通信デバイスに関するデジタル著作権管理機能についての情報を提供する方法は、次のステップを含む。即ち、コンテンツ提供デバイス（１６）において、通信デバイス（１０）の特定のユーザ対してダウンロード可能なコンテンツ（４２）を提供するステップを含む。また、本方法は、権利オブジェクト（ＲＯ）４０のようなデジタル著作権管理についての情報を提供するステップを含む。また、本方法は、デジタル著作権管理についての情報に関するコンテンツ（４２）を使用できる特定のユーザをどのように定義するかの制約（４３）を提供するステップを含む。さらに、本方法は、制約（４３）における情報によってユーザにコンテンツ（４２）を割り当てるステップ、或いは、ユーザにコンテンツ（４２）を割り当てるようにデジタル著作権管理についての情報を自動的に割り当てるステップを含む。これらの割り当ては、ユーザまたはグループユーザによってのみ使用されるダウンロードコンテンツをコンテンツプロバイダが保証することになる。また、ユーザは、当該ユーザの個別加入者モジュール（例えば、ＳＩＭ／ＵＳＩＭ）によって識別される。このようなＳＩＭ／ＵＳＩＭは、ユーザ識別の機密保護された携帯性を保証する。
2007510207.tif 000002
【特許請求の範囲】
【請求項１】
電子通信デバイスに関連するデジタル著作権管理機能についての情報を提供する方法であって、
コンテンツ提供デバイス（１６）において、通信デバイス（１０）における特定のユーザに対してダウンロード可能なコンテンツ（４２）を提供するステップと、
権利オブジェクト（ＲＯ）４０のようなデジタル著作権管理についての情報を提供するステップと、
デジタル著作権管理についての前記情報に関する前記コンテンツ（４２）を使用可能な前記特定のユーザをどのように定義するかの制約（４３）を提供するステップと、
前記コンテンツ（４２）が所望のユーザによってのみ使用されることをコンテンツプロバイダが保証できるように、前記制約（４３）内の情報によって前記ユーザに前記コンテンツ（４２）を割り当てるか、或いは、前記ユーザに前記コンテンツ（４２）を割り当てるようにデジタル著作権管理についての前記情報を自動的に割り当てるステップと
を含むことを特徴とする方法。
【請求項２】
前記デジタル著作権管理情報に一体化された一部として取り扱われ、かつ、実行される前記制約（４３）を提供するステップをさらに含むことを特徴とする請求項１に記載の方法。
【請求項３】
前記コンテンツ提供デバイス（１６）において、前記制約（４３）が割り当てられることを特徴とする請求項１または２に記載の方法。
【請求項４】
前記通信デバイス（１０）において、前記制約（４３）が自動的に割り当てられることを特徴とする請求項１または２に記載の方法。
【請求項５】
前記権利オブジェクト（ＲＯ）は、前記通信デバイス（１０）に最初に通知された時点で、ＳＩＭまたはＵＳＩＭのような個人識別モジュールに割り当てられることを特徴とする請求項４に記載の方法。
【請求項６】
前記権利オブジェクト（ＲＯ）は、常に、前記ＳＩＭに割り当てられることを特徴とする請求項１に記載の方法。
【請求項７】
電子通信デバイス（１０）に提供するための権利オブジェクト（４０）を生成する方法であって、
コンテンツ提供ユニット（１６）において、
コンテンツ要求（３５）を受信するステップと、
前記コンテンツ（４２）に対して、どのように特定のユーザがデジタル著作権管理についての情報に関連した前記コンテンツ（４２）を使用可能とするかを定義する制約（４３）を含む前記権利オブジェクト（４０）を生成するステップと、
前記コンテンツ（４２）が所望のユーザによってのみ使用されることをコンテンツプロバイダが保証できるように、前記制約（４３）内の情報によって前記ユーザに前記コンテンツ（４２）を割り当てるステップと
を含むことを特徴とする方法。
【請求項８】
前記権利オブジェクト（４０）は、ＳＩＭのグループに割り当てられることを特徴とする請求項１または７に記載の方法。
【請求項９】
ワイルドカード文字または文字列がＩＭＳＩ値を示すために使用されることを特徴とする請求項８に記載の方法。
【請求項１０】
通信デバイス（１０）の特定のユーザにおけるダウンロード可能なコンテンツ（４２）を提供するコンテンツプロバイダと通信するための電子通信デバイスであって、
前記通信デバイス（１０）に関連したデジタル著作権管理方式を提供するよう構成されたデジタル著作権管理制御ユニット（２２）と、
メディアコンテンツ記憶部（２４）と、
前記デバイス（１０）のユーザが前記メディアコンテンツ記憶部（２４）にダウンロードされたコンテンツを使用することができるために前記メディアコンテンツ記憶部（２４）に接続されたアプリケーションユニット（２６）とを含み、
前記デジタル著作権管理制御ユニット（２２）は、
前記コンテンツ（４２）が所望のユーザによってのみ使用されることをコンテンツプロバイダが保証できるように、前記ダウンロード可能なコンテンツ（４２）に割り当てられるデジタル著作権管理についての情報に関連する前記コンテンツ（４２）を、どのように特定のユーザが使用することを許可するかを定義する制約（４３）を使用するよう構成される
ことを特徴とする電子通信デバイス。
【請求項１１】
前記デジタル著作権管理制御ユニット（２２）は、
前記コンテンツ提供デバイス（１６）において、権利オブジェクト（４０）に、割り当てられた制約（４３）を使用するよう構成されることを特徴とする請求項１０に記載の電子通信デバイス。
【請求項１２】
前記デジタル著作権管理制御ユニット（２２）は、
前記通信デバイス（１０）自体における権利オブジェクト（４０）に、自動的に割り当てられた制約（４３）を使用するよう構成されることを特徴とする請求項１０に記載の電子通信デバイス。
【請求項１３】
前記権利オブジェクト（４０）は、
前記制約（４３）によってたとえ指示されなくとも、ＳＩＭに割り当てられることを特徴とする請求項１２に記載の電子通信デバイス。
【請求項１４】
前記デバイスは、携帯通信デバイスであることを特徴とする請求項１３に記載の電子通信デバイス。
【請求項１５】
前記デバイスは、移動電話であることを特徴とする請求項１４に記載の電子通信デバイス。
【請求項１６】
電子通信デバイスに権利オブジェクトを生成するためのコンテンツ提供デバイスであって、
電子通信デバイス（１０）からのコンテンツ要求（３５）を受信する受信部と、
コンテンツに関し、デジタル著作権管理についての情報に関連する前記コンテンツ（４２）をどのように特定のユーザが使用することを許可するかを定義する制約（４３）を含む権利オブジェクト（４０）を、前記コンテンツ（４２）が所望のユーザによってのみ使用されることをコンテンツプロバイダが保証できるように、生成する生成部と
を含むことを特徴とするコンテンツ提供デバイス。
【請求項１７】
電子通信デバイスに関連して、デジタル著作権管理機能を管理するシステムであって、
コンテンツ提供ユニットと通信するための電子通信デバイス（１０）と、
前記電子通信デバイス（１０）に権利オブジェクト（４０）を生成するためのコンテンツ提供デバイス（１６）とを含み、
前記電子通信デバイス（１０）は、
前記電子通信デバイス（１０）と関連したデジタル著作権管理方式を提供するよう構成されたデジタル著作権管理制御ユニット（２２）と、
メディアコンテンツ記憶部（２４）と、
前記メディアコンテンツ記憶部（２４）にダウンロードされたコンテンツを前記電子通信デバイス（１０）のユーザに使用可能にするための当該メディアコンテンツ記憶部（２４）に接続されたアプリケーションユニット（２６）とを含み、
前記デジタル著作権管理制御ユニット（２２）は、
前記ダウンロード可能なコンテンツ（４２）の権利オブジェクト（ＲＯ）に割り当てられるデジタル著作権管理についての情報に関連する前記コンテンツ（４２）を、どのように特定のユーザが使用することを許可するかを定義する制約（４３）を使用するために構成され、
前記コンテンツ提供デバイス（１６）は、
前記電子通信デバイス（１０）からのコンテンツ要求（３５）を受信する受信部と、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が所望のユーザによってのみ使用されることをコンテンツプロバイダが保証できるように、生成する生成部とを含む
ことを特徴とするシステム。
【請求項１８】
電子通信デバイス（１０）に関連するデジタル著作権管理機能についての情報を提供するためのコンピュータプログラムであって、
前記コンピュータプログラムが前記電子通信デバイス（１０）にロードされた場合に、前記コンピュータプログラムは、当該電子通信デバイス（１０）が前記コンテンツ提供デバイス（１６）にコンテンツ要求（３５）を送信し、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が所望のユーザによってのみ使用されることをコンテンツプロバイダが保証できるように、生成することを実行させる
ことを特徴とするコンピュータプログラム。
【請求項１９】
電子通信デバイス（１０）に提供するために権利オブジェクト（４０）を生成するためのコンピュータプログラムであって、
前記コンピュータプログラムがコンピュータにロードされた場合に、前記プログラムは、前記コンピュータが、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が所望のユーザによってのみ使用されることをコンテンツプロバイダが保証できるように、生成することを実行させる
ことを特徴とするコンピュータプログラム。
【発明の詳細な説明】
【技術分野】
【０００１】
本発明は、後にユーザに割り当てられるコンテンツプロバイダからのダウンロード可能なコンテンツの分野に関する。
【背景技術】
【０００２】
現在、電話通信およびコンピュータ通信分野では、コンテンツ、例えば、異なるコンテンツプロバイダからの音楽のような異なるタイプのメディアコンテンツをダウンロードすることができる傾向にある。このような通信において、コンテンツプロバイダによって設定された条件に従って使用されるコンテンツが必要とされている。これらを行うために、コンテンツは、頻繁に暗号化され、かつ、問題となるコンテンツの使用に関しての条件を設定する権利オブジェクト（ＲＯ）を伴って提供される。ユーザは、例えば、規定された回数または指定された時間制限の範囲内で１曲の音楽を再生することが許可されることになる。
【０００３】
上述のような通信を行う環境は、ＯＭＡ（Open Mobile Alliance）によって移動電話の領域で始まっている。ＯＭＡは、上述した権利オブジェクト（ＲＯ）を扱うためのＤＲＭ（デジタル著作権管理Digital Rights Management）方式（ＯＭＡ  ＤＲＭ）を整えている。また、上記方式は数多くの支援機能を提示し、その支援機能により、セルラー電話のような携帯電子デバイスでユーザがコンテンツをダウンロードして当該コンテンツを使用することができる。また、コンテンツは、コンテンツプロバイダによって設定された条件の下でセルラー電話にダウンロードされる。通常、このような条件は、携帯デバイスにおいて、加入者識別モジュール（ＳＩＭ）等のようなハードウェアによって制御される。
【発明の開示】
【発明が解決しようとする課題】
【０００４】
ＯＭＡ、ＤＲＭにおける可能なビジネスモデルは、携帯デバイスの特定のユーザに対してコンテンツのダウンロードを制限することなく、定額料金の会費を設けることである。現在の技術では、不正行為の可能性がある。不正行為に関して、可能性のある例を以下に記載する。
ステップ１．ユーザＡが定額料金の会費（ＳＩＭによって制御された）を支払う。
ステップ２．ユーザＡが自分のＳＩＭを取り外して、ユーザＢの携帯デバイスに当該ＳＩＭを挿入する。
ステップ３．ユーザＡがユーザＢの携帯デバイスにコンテンツをダウンロードする。
ステップ４．ユーザＢがユーザＡのＳＩＭを取り外して、自分のＳＩＭを自分の携帯デバイスに挿入する。
ステップ５．ユーザＢがユーザＡによってダウンロードされたコンテンツを使用する。
【０００５】
ここで、ＳＩＭ認証がダウンロードサービスに関して使用される場合には、ＳＩＭを交換することのみが必要となる。ユーザネームパスワードが代わりに使用されている場合、ユーザＡがしなければならないことの全ては、ユーザＢと自分のパスワードを共有させることであり、これにより上述したステップ２およびステップ４が省略されることとなる。これは、コンテンツが不特定の携帯デバイス、上述の例においては、ユーザＢのデバイスにおいて使用されうることに繋がり、もちろん、これは、コンテンツプロバイダの観点から大きな不利益となる。
【０００６】
したがって、コンテンツプロバイダの利益を保護するために、コンテンツのダウンロードに関して不正行為の防止（認証）メカニズムを提供することが必要である。しかしながら、これは、認証メカニズムがクローニング攻撃（cloning attacks）のような他者の攻撃に影響を受けやすいため、容易な作業ではない。
【０００７】
したがって、コンテンツプロバイダに過度に負担をかけることなく十分に機密保護された不正行為の防止を提供することが必要となる。これにより、コンテンツプロバイダの利益が保護されると同時に、ユーザはどこでコンテンツが使用されるのかについてのより高い自由度を得ることができる。
【課題を解決するための手段】
【０００８】
本発明の第１の形態によれば、本目的は、電子通信デバイスに関するデジタル著作権管理機能についての情報を提供する方法によって実現される。本方法は、コンテンツ提供デバイスにおいて、通信デバイスにおける特定のユーザに対してダウンロード可能なコンテンツを提供するステップを含む。また、本方法は、権利オブジェクトのようなデジタル著作権管理についての情報を提供するステップを含む。また、本方法は、デジタル著作権管理についての情報に関するコンテンツを使用可能な特定のユーザをどのように定義するかの制約を提供するステップを含む。さらに、本方法は、制約ないの情報によってユーザにコンテンツを割り当てるか、或いは、ユーザにコンテンツを割り当てるようにデジタル著作権管理についての情報を自動的に割り当てるステップを含む。また、これらの割り当ては、コンテンツが所望のユーザによってのみ使用されることをコンテンツプロバイダが保証できるように行われる。
【０００９】
ここで、用語「ダウロード可能な」は、純粋に「ダウンロード可能な」コンテンツという意味だけでなく、メモリスティック、ＩＲまたはｂｌｕｅｔｏｏｔｈ（登録商標）プロバイダコンテンツのような通信デバイスに対して局所的に記憶された／提供されたコンテンツという意味も含む。
【００１０】
本発明の第２の形態は、第１の形態の特徴を含む方法である。本形態による方法は、デジタル著作権管理情報に一体化された一部として取り扱われ、かつ、実行される制約を提供するステップをさらに含む。
【００１１】
本発明の第３の形態は、第１の形態または第２の形態の特徴を含む方法である。本形態によれば、コンテンツ提供デバイスにおいて、制約が割り当てられる。
【００１２】
本発明の第４の形態は、第１の形態の特徴を含む方法である。本形態によれば、通信デバイスにおいて、制約が自動的に割り当てられる。
【００１３】
本発明の第５の形態は、第４の形態の特徴を含む方法である。本形態による権利オブジェクト（ＲＯ）は、通信デバイスに最初に通知された時点で、ＳＩＭまたはＵＳＩＭのような個人識別モジュールに割り当てられる。
【００１４】
本発明の第６の形態は、第５の形態の特徴を含む方法である。本形態による権利オブジェクト（ＲＯ）は、常にＳＩＭに割り当てられる。
【００１５】
本発明の他の目的は、ユーザの識別における機密保護された携帯性を享受するために電子通信デバイスに提供するための権利オブジェクト（ＲＯ）を生成する方法を提供することにある。
【００１６】
本発明の第７の形態によれば、本目的は、電子通信デバイスに提供するための権利オブジェクト（ＲＯ）を生成する方法によって実現される。本方法は、コンテンツ提供デバイスにおいて、コンテンツ要求を受信するステップと、コンテンツに対して、権利オブジェクト（ＲＯ）を生成するステップとを含む。また、権利オブジェクト（ＲＯ）は、どのように特定のユーザがデジタル著作権管理についての情報に関連したコンテンツを使用することを許可するかを定義する制約を含む。また、本方法は、制約における情報によってユーザにコンテンツを割り当てるステップを含み。また、これらの割り当ては、コンテンツが所望のユーザによってのみ使用されることをコンテンツプロバイダが保証できるように行われる。
【００１７】
本発明の第８の形態は、第１の形態および第７の形態の特徴を含む方法である。本形態によるＲＯは、ＳＩＭのような個人識別モジュールにおけるグループに割り当てられる。
【００１８】
本発明の第９の形態は、第８の形態の特徴を含む方法である。本形態によるワイルドカード文字（文字列）は、ＩＭＳＩ値を示すために使用される。
【００１９】
本発明の他の目的は、不正行為の防止を実現するコンテンツプロバイダと通信するための電子通信デバイスを提供することにある。
【００２０】
本発明の第１０の形態によれば、本目的は、コンテンツプロバイダと通信するための電子通信デバイスによって実現されうる。本電子通信デバイスは、電話に関連するデジタル著作権管理方式を提供するために構成されたデジタル著作権管理制御ユニットと、メディアコンテンツ記憶ユニットと、メディアコンテンツ記憶ユニットにダウンロードされているコンテンツを使用可能とするために、デバイスのユーザのためメディアコンテンツ記憶ユニットに接続されたアプリケーションユニットとを含む。デジタル著作権管理制御ユニットは、どのように特定のユーザがデジタル著作権管理についての情報に関連するコンテンツを使用可能とされるかを定義する制約を使用するために構成される。デジタル著作権管理についての情報は、ダウンロード可能なコンテンツに権利オブジェクト（ＲＯ）を割り当てる。これらは、コンテンツが所望のユーザによってのみ使用されうることをコンテンツプロバイダが保証するために行われる。
【００２１】
本発明の第１１の形態は、第１０の形態の特徴を含む電子通信デバイスである。本形態によるデジタル著作権管理制御ユニットは、コンテンツ提供ユニットにおいて、ＲＯに割り当てられた制約を使用するために構成される。
【００２２】
本発明の第１２の形態は、第１０の形態の特徴を含む電子通信デバイスである。本形態によるデジタル著作権管理制御ユニットは、当該電子通信デバイスにおいて、権利オブジェクト（ＲＯ）に自動的に割り当てられた制約を使用するために構成されている。
【００２３】
本発明の第１３の形態は、第１０の形態の特徴を含む電子通信デバイスである。本形態による権利オブジェクト（ＲＯ）は、制約による指示がない場合であってもＳＩＭに割り当てられるために構成される。
【００２４】
本発明の第１４の形態は、第１０の形態の特徴を含む電子通信デバイスである。本形態による電子通信デバイスは、携帯通信デバイスである。
【００２５】
本発明の第１５の形態は、第１０の形態の特徴を含む電子通信デバイスである。本形態による電子通信デバイスは、移動電話である。
【００２６】
本発明の他の目的は、不正行為を防止しうる電子通信デバイスに権利オブジェクト（ＲＯ）を生成するためにコンテンツ提供デバイスを提供することにある。
【００２７】
本発明の第１６の形態によれば、本目的は、電子通信デバイスに権利オブジェクト（ＲＯ）を生成するためのコンテンツ提供デバイスによって実現されうる。また、コンテンツ提供デバイスは、コンテンツ要求を受信する受信部と、コンテンツに対する権利オブジェクト（ＲＯ）を生成する生成部とを含み、電気通信デバイスに構成される。また、権利オブジェクト（ＲＯ）は、どのように特定のユーザがデジタル著作権管理についての情報に関連されたコンテンツを使用しうるかを定義するサーバによってＳＩＭに割り当てられる。また、これらの割り当ては、コンテンツが所望のユーザによってのみ使用されることをコンテンツプロバイダが保証できるように行われる。
【００２８】
本発明の他の目的は、不正行為を防止しうるデジタル著作権を保護するためのシステムを提供することにある。
【００２９】
本発明の第１７の形態によれば、本目的は、デジタル著作権を保護するためのシステムによって実現されうる。本システムは、コンテンツ提供ユニットと通信するための電子通信デバイスを含む。また、電子通信デバイスは、当該電子通信デバイスに関連したデジタル著作権管理方式を提供するために構成されたデジタル著作権管理制御ユニットと、メディアコンテンツ記憶装置とを含む。また、電子通信デバイスは、メディアコンテンツ記憶装置にダウンロードされているコンテンツを使用可能とする当該電子通信デバイスのユーザのためにメディアコンテンツ記憶装置に接続されたアプリケーションユニットを含む。デジタル著作権管理制御ユニットは、どのように特定のユーザがデジタル著作権管理についての情報に関連されたコンテンツを使用可能とされるかを定義する制約を使用するために構成され、電子通信デバイスに権利オブジェクト（ＲＯ）を生成するためのコンテンツ提供デバイスを含む。コンテンツ提供デバイスは、コンテンツ要求を受信する受信部と、コンテンツに対する権利オブジェクトを生成する生成部とを含んで構成される。権利オブジェクト（ＲＯ）は、どのように特定のユーザがデジタル著作権管理についての情報に関連されたコンテンツを使用しうるかを定義する制約を含む。また、これらの割り当ては、コンテンツが所望のユーザによってのみ使用されることをコンテンツプロバイダが保証できるように行われる。
【００３０】
本発明の他の目的は、不正行為の防止を行うために、電子通信デバイスに関連する支援されたデジタル著作権管理機能についての情報を提供するためのコンピュータプログラムを提供することにある。
【００３１】
本発明の他の目的は、不正行為の防止を行うために、ユーザにコンテンツを割り当てる電子通信デバイスに提供するための権利オブジェクトを生成するコンピュータプログラムを提供することにある。
【００３２】
本発明の第１８の形態によれば、本目的は、電子通信デバイスに提供するための権利オブジェクト（ＲＯ）を生成するコンピュータプログラムによって実現されうる。コンピュータプログラムは、コンピュータにロードされた場合に、コンテンツのための権利オブジェクト（ＲＯ）を生成する。権利オブジェクト（ＲＯ）は、どのように特定のユーザが保護されたコンテンツを使用しうるかを定義する制約を含む。また、これらの割り当ては、コンテンツが所望のユーザによってのみ使用されることをコンテンツプロバイダが保証できるように行われる。
【００３３】
本発明には、以下の利点がある。コンテンツが所望のユーザまたはグループユーザによってのみ使用されうることをコンテンツプロバイダが保証しうる。また、ユーザは、ユーザアイデンティティの機密保護された携帯性を保証する個人加入者モジュール（例えば、ＳＩＭ／ＵＳＩＭ）によって識別されうる。
【００３４】
コンテンツプロバイダには、特定のユーザに保護されたコンテンツを明確に割り当てたり、または、コンテンツをダウンロードする／購入するユーザにコンテンツを自動的に割り当てる選択をする手段が設けられる。
【００３５】
本発明により、コンテンツプロバイダは、現行使用されているデバイス志向のモデルとは対照的に、ユーザ志向のビジネスモデルを配備させることが可能になる。これは、ユーザがいくつかのデバイスにコンテンツをダウンロードし、それらのデバイス上でコンテンツを使用することを可能にする。一方で、他のユーザがコンテンツを使用することを防止できるため、コンテンツプロバイダのビジネス利益が保護されうる。
【００３６】
本明細書中で使用される用語「含む／含んでいる」は、この明細書で述べられた機能、数値、ステップまたは構成要素の存在を特定するために取られるが、他の１以上の機能、数値、ステップ、構成要素またはそれらのグループの存在や追加を排除するわけではない。
【００３７】
次に本発明について添付図面を関係させて詳細に説明する。
【発明を実施するための最良の形態】
【００３８】
本発明の実施形態に従うシステムを、図１から図４を参照して説明する。移動電話１０の形での電子通信デバイスは、基地局１２を有するセルラーネットワーク１４を介してコンテンツ提供デバイス１６と通信を行う。移動電話１０は、コンテンツ提供デバイス１６からコンテンツをダウンロードする。また、コンテンツは、移動電話１０が取り扱う異なるタイプのフォーマットに従い、ビデオ、音楽または静止画像のような異なるタイプのメディアファイルの形式である。ユーザがこのようなコンテンツをダウンロードする場合、コンテンツは、ＤＲＭについての情報を伴って提供される。通常、上記情報はＲＯ４０を含み、ＲＯ４０は、制約４３を含む。制約４３は、他の制約事項と一緒にどのようにユーザがコンテンツを使用することを許可するかを定義する。これは、コンテンツが特定のユーザに割り当てられ、不正行為を防止するために定義される。制約は、例えば、従来のＤＲＭフレームワークに一体化された一部として取り扱われ、かつ、実行されるように構成されることが望ましい。
【００３９】
ユーザにコンテンツを割り当てるために、移動電話１０は、図２に示すユニットを含む。図２は、移動電話１０の関連部分を示す図である。以下に、図２を参照して説明を記載する。移動電話１０は、図２に示すように、アンテナ２０を介して、図１に示すネットワークと通信するために配置された送信ユニット１８を含む。送信ユニット１８は、デジタル著作権管理制御ユニット２２に接続される。これにより、デジタル著作権管理方式は、移動電話１０に関連付けられる。送信ユニット１８は、メディアコンテンツ記憶部２４にさらに接続されている。さらに、デジタル著作権管理制御ユニット２２が、メディアコンテンツ記憶部２４に接続されている。アプリケーションユニット２６は、メディアコンテンツ記憶部２４にダウンロードされているコンテンツを使用しうるデバイスのユーザのために、メディアコンテンツ記憶部２４に接続されている。このようにして、アプリケーションユニット２６は、その特定のユーザに割り当てられたコンテンツを再生できる。また、コンテンツは、ＳＩＭ上のＩＭＳＩに制約を割り当てることによって割り当てられることがより望ましい。また、認証がＳＩＭのようなハードウェア要素である合理的に機密保護された要素に基づいていない場合、利益が保護されないという厳しいリスクを伴う。
【００４０】
デジタル著作権管理方式の柔軟性をさらに増すために、例えば、ＳＩＭの個人化カテゴリが採用されるように、ＳＩＭのグループにＲＯを割り当てることは可能であろう。なお、そのことを簡単に以下に説明する。
・ネットワークにＩＭＳＩのＭＣＣおよびＭＮＣ番号を割り当てる。
・ネットワークサブセットにＩＭＳＩの６から７桁の数字を割り当てる。
・サービスプロバイダにＩＭＳＩのＧＩＤ１、ＭＣＣおよびＭＮＣ番号を割り当てる。
・企業にＩＭＳＩのＧＩＤ２、ＭＣＣおよびＭＮＣ番号を割り当てる。
・ＳＩＭにＩＭＳＩ全体を割り当てる。
【００４１】
これは、以下に例示するように、ＲＥＬシンタックスの中に置かれる。ＩＭＳＩおよびＧＩＤ１値についてのシンタックスは、？および＊のようなワイルドカード文字を許可することによって、さらに強化されることが望ましい。
【００４２】
たとえＲＯの制約による指示がない場合であっても、常に、ＳＩＭにＲＯを自動的に割り当てることも可能である。ＲＥＬが変更されてはならない場合の解決方法として、上記解決方法は有効であろう。一方で、常に、ＲＯに指示されているＳＩＭに割り当てることも可能である。
【００４３】
また、一方で、ＲＯの送信がＩＭＳＩ値を隠蔽するために十分な機密保護について検討されていない場合、上記割り当ては、実際の値の代わりにＩＭＳＩのハッシュ値を挿入することによって実現されうる。しかしながら、ハッシュ値が正確に一致しなければならないので、ワイルドカード文字の使用を防止するように注意しなければならない。
【００４４】
標準に準拠していない電話がどのように応答するのかを考慮することも必要である。なぜなら、その電話は制約を無視するかもしれないからである。１つの解決方法は、ある種のフィルタ手段を設け、標準に準拠していない電話等にＲＯを送信しないように構成することである。
【００４５】
移動電話１０が多くの他のユニットや上述したユニットよりも多くのユニットを含むことが理解されるであろう。これらは、発呼と着呼のためや、ダウンロードコンテンツに関連しない他の機能を実行するために必要となる。しかしながら、これらは、本発明に関連しないため、本発明のより容易な理解のために説明は省略される。異なるメディアコンテンツ記憶部、アプリケーションユニット、通信ユニットおよびデジタル著作権管理ユニットが相互接続された上述した方法は、本発明を実現するための好適な一例である。また、本発明の構成および機能が修正および変形された多くの方法で実現可能であるということが理解されるであろう。
【００４６】
図３は、本発明に従うコンテンツ提供デバイス１６のブロック図を示す。コンテンツ提供デバイス１６は、通信ユニット３０、コンテンツ提供制御ユニット３２およびコンテンツ記憶部３４を含む。コンテンツ提供制御ユニット３２は、通信ユニット３０およびコンテンツ記憶部３４の両方に接続される。ここでは、「クライアントを基礎とした実行」から始まるシステムの機能制御について説明する。
【００４７】
コンテンツ提供制御ユニット３２は、電話から受信したリファレンスを使用するサーバ１７からリストを取り出し、制約４３を含むコンテンツにおける権利オブジェクト（ＲＯ）を作成または生成する。また、制約４３は、移動電話１０のデジタル著作権管理制御ユニット２２（または、他のＤＲＭエージェント）によって自動的にＲＯに加えられるようにしてもよい。
【００４８】
コンテンツ提供制御ユニット３２は、コンテンツ記憶部３４から暗号化されているコンテンツ４２を取り出す。暗号化されていなければ、コンテンツ提供制御ユニット３２は、コンテンツの暗号化を実行する。その後、制約を含むコンテンツ４２およびＲＯ４０は、コンテンツプロバイダ１６から移動電話１０に通信ユニット３０を使用して、応答信号３９に移送される。ここで、コンテンツ４２は、暗号化されてもよく、移動電話１０は、実際にコンテンツを再生するために適切な方法で復号鍵を受信する。好適な実施形態によれば、復号のための鍵は、ＲＯ４０に設けられる。コンテンツ４２およびＲＯ４０は、上述した実施形態によれば、移動電話１０に対して同時に提供される。しかしながら、それらは、個別に提供されてもよいということが理解されるであろう。
【００４９】
続いて、コンテンツ４２およびＲＯ４０は、移動電話１０の送信ユニット１８によって受信されて、デジタル著作権管理制御ユニット２２の制御の下で記憶部２４に記憶される。このように、アプリケーションユニット２６は、その特定のユーザに割り当てられたコンテンツを再生できる。ここで、コンテンツは、ＳＩＭのＩＭＳＩに制約４３を割り当てることによって行われてもよい。
【００５０】
［サーバを基礎にした不正行為の検知］
ＳＩＭを基本とした認証が使用される場合、代わりに不正行為の防止メカニズムを備えたネットワークを導入することができるかもしれない。
【００５１】
上記解決方法の１つとして、ユーザが新たなＲＯを要求する度にＨＬＲからＩＭＥＩを取り出す方法がある。このようにして、ユーザがそれぞれの電話にコンテンツをダウンロードする場合、サーバは不正行為を検知できる。明らかな不正行為者は、上記サービスを利用することが阻止されうる。
【００５２】
異なる制御ユニットは、本発明による様々な方法ステップを実行するプログラムメモリに関連する１以上のプロセッサの形で設けられることが望ましい。また、記憶部は、通常のメモリとして設けられることが望ましい。また、通信ユニットは、例えばＡＳＩＣ回路のような通常の通信回路の形で設けられることが望ましい。
【００５３】
さらに、プログラムコードは、電話またはコンテンツプロバイダもしくは両者に外部サーバからダウンロードされてもよい。
【００５４】
本発明は、さらに、移動電話に関連して記載されている。しかしながら、いくつかの他のデバイスに適用されてもよいということが理解されるべきである。上記デバイスとは、例えば、コミュニケータ、電子手帳、スマートフォン、パームトップコンピュータ、ラップトップコンピュータまたはＰＣ等である。同様に、利用される通信ネットワークは、セルラーネットワークである必要はなく、本発明に適した通信ネットワークであればよい。したがって、本発明は、添付のクレームによってのみ限定されうる。
【図面の簡単な説明】
【００５５】
【図１】本発明に従う電子通信デバイスおよびコンテンツ提供デバイスを含むシステムを示すブロック図である。
【図２】本発明に従う電子通信デバイスを示すブロック図である。
【図３】本発明に従うコンテンツ提供デバイスを示すブロック図である。
【図４】電子通信デバイスからのコンテンツ要求の送信およびコンテンツ提供デバイスからの要求されたコンテンツの配信を示す図である。
【図５】本発明に従うシステムの制御フローを示すフローチャートである。
【図１】
2007510207.tif 000003
【図２】
2007510207.tif 000004
【図３】
2007510207.tif 000005
【図４】
2007510207.tif 000006
【図５】
2007510207.tif 000007
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
電子通信デバイスに関連するデジタル著作権管理機能についての情報を提供する方法であって、
コンテンツ提供デバイス（１６）において、特定の通信デバイス（１０）における所望のユーザに対してダウンロード可能なコンテンツ（４２）を提供するステップと、
権利オブジェクト（ＲＯ）４０のようなデジタル著作権管理についての情報を提供するステップと、
デジタル著作権管理についての前記情報に関する前記コンテンツ（４２）を使用可能な前記特定のユーザをどのように定義するかの制約（４３）を提供するステップと、
前記制約（４３）内の情報によって前記ユーザに前記コンテンツ（４２）を割り当てるか、或いは、デジタル著作権管理についての前記情報によって自動的に割り当てるステップと、
再生されるコンテンツが前記特定の通信デバイスにおける前記所望のユーザに割り当てられるように、前記デジタル著作権管理の制御情報による制御の下で前記コンテンツ（４２）を記憶するステップと
を含むことを特徴とする方法。
【請求項２】
前記デジタル著作権管理情報に一体化された一部として取り扱われ、かつ、実行される前記制約（４３）を提供するステップをさらに含むことを特徴とする請求項１に記載の方法。
【請求項３】
前記コンテンツ提供デバイス（１６）において、前記制約（４３）が割り当てられることを特徴とする請求項１または２に記載の方法。
【請求項４】
前記通信デバイス（１０）において、前記制約（４３）が自動的に割り当てられることを特徴とする請求項１または２に記載の方法。
【請求項５】
前記権利オブジェクト（ＲＯ）は、前記通信デバイス（１０）に最初に通知された時点で、ＳＩＭまたはＵＳＩＭのような個人識別モジュールに割り当てられることを特徴とする請求項４に記載の方法。
【請求項６】
前記権利オブジェクト（ＲＯ）は、常に、前記ＳＩＭに割り当てられることを特徴とする請求項１に記載の方法。
【請求項７】
電子通信デバイス（１０）に提供するための権利オブジェクト（４０）を生成する方法であって、
コンテンツ提供ユニット（１６）において、
コンテンツ要求（３５）を受信するステップと、
前記コンテンツ（４２）に対して、どのように特定のユーザがデジタル著作権管理についての情報に関連した前記コンテンツ（４２）を使用可能とするかを定義する制約（４３）を含む前記権利オブジェクト（４０）を生成するステップと、
前記デジタル著作権管理の制御情報における制御の下で、前記コンテンツ（４２）が記憶され、特定の通信デバイスにおける所望のユーザに割り当てられることをコンテンツプロバイダが保証できるように、前記制約（４３）内の情報によって前記ユーザに前記コンテンツ（４２）を割り当てるステップと
を含むことを特徴とする方法。
【請求項８】
前記権利オブジェクト（４０）は、ＳＩＭのグループに割り当てられることを特徴とする請求項１または７に記載の方法。
【請求項９】
ワイルドカード文字または文字列がＩＭＳＩ値を示すために使用されることを特徴とする請求項８に記載の方法。
【請求項１０】
特定の通信デバイス（１０）の特定のユーザにおけるダウンロード可能なコンテンツ（４２）を提供するコンテンツプロバイダと通信するための電子通信デバイスであって、
前記通信デバイス（１０）に関連したデジタル著作権管理方式を提供するよう構成されたデジタル著作権管理制御ユニット（２２）と、
前記コンテンツ（４２）が特定の通信デバイスにおける所望のユーザに割り当てられるように、前記デジタル著作権管理の制御情報における制御の下で当該コンテンツ（４２）を記憶するよう構成されたメディアコンテンツ記憶部（２４）と、
前記デバイス（１０）のユーザが前記メディアコンテンツ記憶部（２４）にダウンロードされたコンテンツを使用することができるために前記メディアコンテンツ記憶部（２４）に接続されたアプリケーションユニット（２６）とを含み、
前記デジタル著作権管理制御ユニット（２２）は、
前記ダウンロード可能なコンテンツ（４２）に割り当てられるデジタル著作権管理についての情報に関連する前記コンテンツ（４２）を、どのように特定のユーザが使用することを許可するかを定義する制約（４３）を使用するよう構成される
ことを特徴とする電子通信デバイス。
【請求項１１】
前記デジタル著作権管理制御ユニット（２２）は、
前記コンテンツ提供デバイス（１６）において、権利オブジェクト（４０）に、割り当てられた制約（４３）を使用するよう構成されることを特徴とする請求項１０に記載の電子通信デバイス。
【請求項１２】
前記デジタル著作権管理制御ユニット（２２）は、
前記通信デバイス（１０）自体における権利オブジェクト（４０）に、自動的に割り当てられた制約（４３）を使用するよう構成されることを特徴とする請求項１０に記載の電子通信デバイス。
【請求項１３】
前記権利オブジェクト（４０）は、
前記制約（４３）によってたとえ指示されなくとも、ＳＩＭに割り当てられることを特徴とする請求項１２に記載の電子通信デバイス。
【請求項１４】
前記デバイスは、携帯通信デバイスであることを特徴とする請求項１３に記載の電子通信デバイス。
【請求項１５】
前記デバイスは、移動電話であることを特徴とする請求項１４に記載の電子通信デバイス。
【請求項１６】
電子通信デバイスに権利オブジェクトを生成するためのコンテンツ提供デバイスであって、
特定の電子通信デバイス（１０）からのコンテンツ要求（３５）を受信する受信部と、
コンテンツに関し、デジタル著作権管理についての情報に関連する前記コンテンツ（４２）をどのように特定のユーザが使用することを許可するかを定義する制約（４３）を含む権利オブジェクト（４０）を、前記コンテンツ（４２）が前記デジタル著作権管理の制御情報における制御の下で記憶され、特定の通信デバイスにおける所望のユーザに割り当てられることをコンテンツプロバイダが保証できるように、生成する生成部と
を含むことを特徴とするコンテンツ提供デバイス。
【請求項１７】
電子通信デバイスに関連して、デジタル著作権管理機能を管理するシステムであって、
コンテンツ提供ユニットと通信するための電子通信デバイス（１０）と、
前記電子通信デバイス（１０）に権利オブジェクト（４０）を生成するためのコンテンツ提供デバイス（１６）とを含み、
前記電子通信デバイス（１０）は、
前記電子通信デバイス（１０）と関連したデジタル著作権管理方式を提供するよう構成されたデジタル著作権管理制御ユニット（２２）と、
メディアコンテンツ記憶部（２４）と、
前記メディアコンテンツ記憶部（２４）にダウンロードされたコンテンツを前記電子通信デバイス（１０）のユーザに使用可能にするための当該メディアコンテンツ記憶部（２４）に接続されたアプリケーションユニット（２６）とを含み、
前記デジタル著作権管理制御ユニット（２２）は、
前記ダウンロード可能なコンテンツ（４２）の権利オブジェクト（ＲＯ）に割り当てられるデジタル著作権管理についての情報に関連する前記コンテンツ（４２）を、どのように特定のユーザが使用することを許可するかを定義する制約（４３）を使用するために構成され、
前記コンテンツ提供デバイス（１６）は、
前記電子通信デバイス（１０）からのコンテンツ要求（３５）を受信する受信部と、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が前記デジタル著作権管理の制御情報における制御の下で記憶され、特定の通信デバイスにおける所望のユーザに割り当てられることをコンテンツプロバイダが保証できるように、生成する生成部とを含む
ことを特徴とするシステム。
【請求項１８】
電子通信デバイス（１０）に関連するデジタル著作権管理機能についての情報を提供するためのコンピュータプログラムであって、
前記コンピュータプログラムが前記電子通信デバイス（１０）にロードされた場合に、前記コンピュータプログラムは、当該電子通信デバイス（１０）が前記コンテンツ提供デバイス（１６）にコンテンツ要求（３５）を送信し、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が前記デジタル著作権管理の制御情報における制御の下で記憶され、特定の通信デバイスにおける所望のユーザに割り当てられることをコンテンツプロバイダが保証できるように、生成することを実行させる
ことを特徴とするコンピュータプログラム。
【請求項１９】
電子通信デバイス（１０）に提供するために権利オブジェクト（４０）を生成するためのコンピュータプログラムであって、
前記コンピュータプログラムがコンピュータにロードされた場合に、前記プログラムは、前記コンピュータが、
コンテンツに関し、デジタル著作権管理についての情報に関連する前記コンテンツ（４２）を、どのように特定のユーザが使用することを許可するかを定義する制約（４３）を含む権利オブジェクト（４０）を、前記コンテンツ（４２）が前記デジタル著作権管理の制御情報における制御の下で記憶され、特定の通信デバイスにおける所望のユーザに割り当てられることをコンテンツプロバイダが保証できるように、生成することを実行させる
ことを特徴とするコンピュータプログラム。
【国際調査報告】
2007510207.tif 000008
2007510207.tif 000009